(57)【要約】【課題】窓サッシのアングル枠と窓接続枠とを確実に密封できるシール効果の高い窓接続枠のシール構造の提供を目的とする。【解決手段】窓サッシ２０には、その周方向に沿うアングル枠２０Ｂが内壁側に向けて突出して形成され、窓接続枠１０１には開口部２２の各辺に沿う平板部２５を有する複数の枠部材２３が設けられるとともに、各枠部材２３における平板部２５の前端部２５Ａがアングル枠２０Ｂと開口部２２との間に入り込んでおり、これら窓サッシ２０のアングル枠２０Ｂと枠部材２３における平板部２５の前端部２５Ａとの間には、その間を密封するシール部材３３が設けられ、該シール部材３３は、アングル枠２０Ｂと平板部２５の前端部２５Ａとの間に配置されてこれらの間に間隙３２を形成するスペーサ３４と、その間隙３２内に充填されるシーリング材３５とから構成されている。【選択図】図３
2008111304.tif 000002
【特許請求の範囲】
【請求項１】
建築物躯体の開口部における外壁側に取り付けられる窓サッシと、該開口部の内壁側から開口部内に嵌め込まれる窓接続枠との間を密封する窓接続枠のシール構造であって、
前記窓サッシには、その周方向に沿うアングル枠が内壁側に向けて突出して形成され、前記窓接続枠には前記開口部の各辺に沿う平板部を有する複数の枠部材が設けられるとともに、各枠部材における平板部の前端部が前記アングル枠と開口部との間に入り込んでおり、これら窓サッシのアングル枠と枠部材における平板部の前端部との間には、その間を密封するシール部材が設けられ、
該シール部材は、窓サッシのアングル枠と枠部材における平板部の前端部との間に配置されてこれらの間に間隙を形成するスペーサと、該スペーサによって形成された前記間隙内に充填されるシーリング材とから構成されていることを特徴とする窓接続枠のシール構造。
【請求項２】
前記スペーサは、窓サッシのアングル枠と枠部材における平板部の前端部との間に介在する硬質のブロック部材と、該ブロック部材と一体に形成され前記枠部材よりも前方位置で窓サッシと建築物躯体との間を密封する弾性シール材とから構成されていることを特徴とする請求項１記載の窓接続枠のシール構造。
【請求項３】
前記スペーサのブロック部材は、前記枠部材における平板部の内周面から前端面にかけて係止される鉤状に形成されていることを特徴とする請求項２記載の窓接続枠のシール構造。
【発明の詳細な説明】
【技術分野】
【０００１】
本発明は、例えば、浴室の出窓等に用いられ、室内壁と窓サッシとを接続する窓接続枠のシール構造に関する。
【背景技術】
【０００２】
従来、浴室の出窓等に用いられる窓サッシには様々な形状寸法のものがあるため、設置される窓サッシの形状に沿うように複数の枠部材を施工現場において組み立てることで造形される窓接続枠により、内壁の窓用開口部と、外壁に設けられる窓サッシとの間を接続するようになっている。このような窓接続枠は、複数の枠部材とこれらを連結する連結部材とから構成されている。例えば、上枠部材と左右の縦枠部材及び下枠部材からなる４つの枠部材の突合わせ端部を４個のコーナージョイント部材でそれぞれ連結した後、各枠部材の前面を長尺状の前面カバーで覆うようにして組み立てられる窓接続枠が開示されている（特許文献１、特許文献２参照）。
【特許文献１】特開２００３−１４８０６１号公報
【特許文献２】特開平１１−１３１９１３号公報
【発明の開示】
【発明が解決しようとする課題】
【０００３】
ところで、上述した窓接続枠を建物躯体の開口部内に設置する場合、例えば図５に示すような構造とされる。この図に示される窓接続枠１０は、建築物躯体１の窓用開口部２に枠部材３を嵌め込み、この枠部材３に、窓サッシ４の構成部材の一部であるアングル枠５をネジ６で固定したものであり、その際、窓サッシ４のアングル枠５と枠部材３との間は、防水のためにシーリング材７により密封する必要がある。しかしながら、このシーリング材７は、互いに直角となるように配置された枠部材３の上面と、窓サッシ４のアングル枠５の突出部側面５Ａに密着されるものであり、経年変化又は外的な要因によって剥がれるおそれがある。
【０００４】
本発明は、従来の有していた問題を解決しようとするものであって、窓サッシのアングル枠と枠部材とを確実かつ長期にわたり密封できるシール効果の高い窓接続枠のシール構造の提供を目的とする。
【課題を解決するための手段】
【０００５】
そして、上記目的を達成するために本発明の課題解決手段では、建築物躯体の開口部における外壁側に取り付けられる窓サッシと、該開口部の内壁側から開口部内に嵌め込まれる窓接続枠との間を密封する窓接続枠のシール構造であって、前記窓サッシには、その周方向に沿うアングル枠が内壁側に向けて突出して形成され、前記窓接続枠には前記開口部の各辺に沿う平板部を有する複数の枠部材が設けられるとともに、各枠部材における平板部の前端部が前記アングル枠と開口部との間に入り込んでおり、これら窓サッシのアングル枠と枠部材における平板部の前端部との間には、その間を密封するシール部材が設けられ、該シール部材は、窓サッシのアングル枠と枠部材における平板部の前端部との間に配置されてこれらの間に間隙を形成するスペーサと、該スペーサによって形成された前記間隙内に充填されるシーリング材とから構成されていることを特徴とする。
【０００６】
すなわち、窓サッシのアングル枠と枠部材における平板部の前端部との間に、シール部材のスペーサを介在させることで、これらアングル枠の外周面と枠部材の前端部との間に一定の間隙を形成することができ、この間隙を経由して内部にシーリング材を容易かつ確実に充填することができる。また、このように充填されたシーリング材は、アングル枠と枠部材の前端部との間隙から内部に入り込んだ状態となるので、剥がれ難くなる。
【０００７】
また、本発明のシール構造において、前記スペーサは、窓サッシのアングル枠と枠部材における平板部の前端部との間に介在する硬質のブロック部材と、該ブロック部材と一体に形成され前記枠部材よりも前方位置で窓サッシと建築物躯体との間を密封する弾性シール材とから構成されている構成としてもよい。
このような構成とすることにより、シーリング材のさらに内側にスペーサの弾性シール材によっても密封されるので、窓サッシと枠部材との間が二重に密封されることになる。
【０００８】
さらに、前記スペーサのブロック部材は、前記枠部材における平板部の内周面から前端面にかけて係止される鉤状に形成されている構成としてもよく、枠部材に係止されることによりブロック部材の固定位置が決まるので、アングル枠の内方端からブロック部材までの奥行き寸法を一定にすることができ、その間に一定量のシーリング材を確実に充填することができる。
【発明の効果】
【０００９】
本発明の課題解決手段に示される窓接続枠のシール構造によれば、シーリング材が剥がれ難くなるので、シール効果を長期にわたり維持することが可能となる。これにより建築物躯体の開口部内壁に嵌め込まれた枠部材と外壁側の窓サッシとの隙間を確実に密封することができる。
また、スペーサに弾性シール材を一体に設けた構成とすることにより、枠部材と窓サッシとの隙間を二重に密封することができ、密封性を更に高めることができるという効果が得られる。
【発明を実施するための最良の形態】
【００１０】
以下に本発明の実施の形態を図１から図４に基づいて説明する。
図１は本発明を浴室の出窓構成に適用した場合の浴室内部を示すもので、建築物躯体１００の外壁２１Ａ側に設けられる（図２参照）窓サッシ２０と、内壁２１Ｂ側に形成された窓用開口部２２内に内側から嵌め込まれる窓接続枠１０１とが設けられている。開口部２２の形状は、窓サッシ２０の形状に即して例えば四角形状とされており、開口部２２の内周全面を覆うようにして窓接続枠１０１が設置されている。
【００１１】
窓サッシ２０は、図2及び図3に示すように、窓サッシ本体２０Ａと、窓サッシ本体２０Ａの内面側に周方向に沿って固定されて開口部２２内に突出するアングル枠２０Ｂと、窓サッシ本体２０Ａを支持して建築物躯体１００に固定するための支持部材２０Ｃとを有するものであって、窓サッシ２０のアングル枠２０Ｂを介して、窓サッシ本体２０Ａと窓接続枠１０１とが連結される。
窓接続枠１０１は、開口部２２の各面に配置される四つの枠部材２３（図２には一つのみ図示）が四角形の枠状に連結されるとともに、各枠部材２３の浴室側となる前面を隠すようにしてそれぞれに化粧板としての複数の前面カバー２４が被せられた構成とされている。
【００１２】
この枠部材２３は、押出成形によって形成されており、開口部２２の各内面を覆う平板部２５と、該平板部２５の内壁側であってその内側端縁部から外方へと垂直に延出するフランジ部２６とを備えている。このフランジ部２６は、開口部２２の周縁に係止された状態で、ネジ止め（ネジを符号２７で示す）或いは接着剤による接着、又はその両方を併用することにより内壁２１Ｂに固定される。また、このフランジ部２６は一対の係止リブ２８を有し、これら係止リブ２８に、前面カバー２４の係止部２９が係止されることによって、前面カバー２４がフランジ部２６に取り付けられる。
【００１３】
次に、図３及び図４を参照して窓接続枠１０１のシール構造について説明する。
まず、図３に示される窓サッシ本体２０Ａの内側部に配置されるアングル枠２０Ｂは、枠部材２３の平板部２５における前端部２５Ａの幅方向（すなわち、窓サッシ２０の周縁方向）に沿うように長尺に形成され、かつ四角形状に形成された開口部２２内を内壁方向に向けて突出するように窓サッシ本体２０Ａに水平配置されたものであって、このアングル枠２０Ｂには、該アングル枠２０Ｂを枠部材２３の平板部２５に固定するためのネジ３１が、アングル枠２０Ｂの長さ方向に間隔をおいて複数締結されている（図３では一つのネジのみ図示）。
【００１４】
また、アングル枠２０Ｂのネジ３１が取り付けられる箇所は、図４（ａ）（ｂ）に示されるように下方に突出した突出部２０ａとされるとともに、該突出部２０ａに皿孔２０ｂが形成された構成とされており、突出部２０ａの下端は、後述するスペーサに接触している。また、アングル枠２０Ｂの内側端部は内方（図3の上方）及び外方（図3の下方）に突出した断面Ｔ字状の突出部２０ｃとなっている。
【００１５】
そして、枠部材２３における平板部２５の前端部２５Ａと、窓サッシ２０のアングル枠２０Ｂとの間には、これらの間隙３２を密封するシール部材３３が設けられている。このシール部材３３は、スペーサ３４と、シーリング材３５とからなるものであって、スペーサ３４はさらに硬質のブロック部材３６と、弾性シール部材３７とが一体に形成され、該スペーサ３４のブロック部材３６の介在により、窓サッシ２０のアングル枠２０Ｂと、平板部２５の前端部２５Ａとの間に間隙３２を形成し、その間隙３２内にシーリング材３５が充填された構成である。
【００１６】
スペーサ３４のブロック部材３６は、枠部材２３における平板部２５の内面２５Cから前端面２５Ｂに至って屈曲した断面L字形の鉤状に形成され、かつ平板部２５の前端部２５Ａの幅方向（すなわち、窓サッシ２０の周縁方向）に沿って長尺に設けられている。また、弾性シール部材３７は、ブロック部材３６において窓サッシ２０の支持部材２０Ｃと対向する前面３６Ａに長さ方向にわたって一体に形成されている。
【００１７】
前記弾性シール材３７は断面Ｕ字状に湾曲した形状に形成され、その湾曲面の頂部が、建築物躯体１００上に窓サッシ本体２０Ａを支持する支持部材２０Ｃに接触し、この支持部材２０Ｃとの間をシールしている。なお、スペーサ３４のブロック部材３６は硬質樹脂によって形成され、弾性シール材３５は軟質樹脂によって形成されるが、これらは押出成形のいわゆる二色成形によって一体に形成されている。
なお、本発明においては、スペーサ３４のブロック部材３６の形状は、平板部２５の内面２５Ｃから前端面２５Ｂに至り、さらに前端面２５Ｂから平板部２５の外面２５Ｄにまで至るまでの断面コ字状形の鉤状としても良く、また、シーリング材３５だけで十分なシール効果が得られるのであれば、スペーサ３４を、平板部２５の内面２５Ｃに接する部分だけとし、該スペーサ３４において平板部２５の前端面２５Ｂに接する部分及び弾性シール材３７を省略しても良い。
【００１８】
前記シーリング材３５は、アングル枠２０Ｂの内側端部の突出片２０ｂと窓接続枠１０１における平板部２５の前端部２５Ａとの間隙３２から内部に充填されており、その間隙３２からスペーサ３４におけるブロック部材３６の後端面３６Ｂまでの間で盛り上がるように入り込んでいるとともに、アングル枠２０Ｂの突出片２０ｂの端面では枠部材２３における平板部２５までの間を埋める断面三角形状となるように設けられている。
【００１９】
なお、このシーリング材３５は、アングル枠２０Ｂの下面、スペーサ３４におけるブロック部材３６の後端面３６Ｂ、平板部２５の前端部２５Ａ上面とで囲まれる間隙３２が全て埋まるように充填しても良い。
また、ブロック部材３６の後端面３６Ｂから離れた位置において、アングル枠２０Ｂの下面と平板部２５の前端部２５Ａの上面との間をシールしても良いが、隙間３２の奥にブロック部材３６を介在させることにより、その後端面３６Ｂまでの奥行き寸法が一定寸法に定まるので、バックアップ材の役目を果たし、その後端面３６Ｂまで常に一定量のシーリング材３５を充填することができる。
【００２０】
以上のように構成された窓接続枠１０１のシール構造によれば、窓サッシ２０のアングル枠２０Ｂと、枠部材２３における平板部２５の前端部２５Ａとの間に、シール部材３３のスペーサ３４を介在させることで、これら窓サッシ２０のアングル枠２０Ｂと、平板部２５の前端部２５Ａとの間に一定の間隙３２を形成することができ、この間隙３２の内部へシーリング材３５を容易かつ確実に充填することができる。その際、シーリング材３５は、間隙３２を形成するアングル枠２０Ｂの外周面と、平板部２５の前端部２５Ａの内面との間で挟み込まれるようになるので、シーリング材３５が剥がれ難く、図５に示す従来のシーリングと比較して高いシール効果を長期にわたり維持することができる。これにより建築物躯体１００の開口部２２の外壁２１Ａ側に取り付けられる窓サッシ２０と、開口部２２の内壁２１Ｂ側から嵌め込まれた枠部材２３との間隙３２を確実に密封することができる。
【００２１】
また、上記窓接続枠１０１のシール構造では、窓サッシ２０の一構成部材である支持部材２０Ｃと対向するスペーサ３４におけるブロック部材３６の前面側３６Ａに、支持部材２０Ｃとの間隙３２を密封する弾性シール材３７を更に設けたことにより、この弾性シール材３７と前述の充填したシーリング材３５とによって枠部材２３と窓サッシ２０との隙間を二重に密封することができ、密封性を更に高めることができるという効果が得られる。
【００２２】
また、上記窓接続枠１０１のシール構造では、アングル枠２０Ｂと枠部材２３の平板部２５との間にスペーサ３４におけるブロック部材３６を介在させた後にシーリング材３５を充填するようにしているので、スペーサ３４の分、間隙３２のシールに要するシーリング材３５の使用量を減らすことも可能となる。
【図面の簡単な説明】
【００２３】
【図１】本発明に係る窓接続枠のシーリング構造を浴室の出窓構成に適用した実施形態を示す浴室内部の斜視図である。
【図２】図１の窓接続枠から窓サッシの部分を示す縦断面図である。
【図３】図２のシーリング部分の拡大断面図である。
【図４】窓サッシのアングル枠のネジ取付け孔の部分を示す図であり、（ａ）が上側から見た斜視図、（ｂ）が下側から見た斜視図である。
【図５】従来の窓接続枠のシール構造を示す正断面図である。
【符号の説明】
【００２４】
２０…窓サッシ、２０Ａ…窓サッシ本体、２０Ｂ…アングル枠、２０Ｃ…支持部材、２１Ａ…外壁、２１Ｂ…内壁、２２…開口部、２３…枠部材、２５…平板部、２５Ａ…前端部、２５Ｂ…前端面、２５Ｃ…内面、３２…間隙、３３…シール部材、３４…スペーサ、３５…シーリング材、３６…ブロック部材、３６Ａ…前面、３６Ｂ…後端面、３７…弾性シール材、１００…建築物躯体、１０１…窓接続枠
【図１】
2008111304.tif 000003
【図２】
2008111304.tif 000004
【図３】
2008111304.tif 000005
【図４】
2008111304.tif 000006
【図５】
2008111304.tif 000007